(57)【要約】      （修正有）【課題】据え付け寸法を抑えた電気チェーンブロックであってもメンテナンスを容易にする。【解決手段】ロードチェーン１８を回転支持部３に掛設するロードシーブ３ａと、これに駆動力を減速伝達する減速装置５と、さらに減速装置を介して駆動力を付与するモータ４と、モータの正逆転制御を行う制御機器を収納する電装品箱６と、ロードチェーンを収納するチェーンバケット７を備えた電気チェーンブロックであって、前記支持部とモータ及び減速装置からなる巻上機本体２の長手方向と直交する方向に所定間隔離れた箇所で、上端が巻上機本体を吊り下げる固定部１に連係し、下端がチェーンバケットに係着し、前記チェーンバケットを吊り下げ支持する吊り部材８を設け、前記電装品箱をチェーンバケットの上方で、巻上機本体の長手方向の吊り部材取り付け側の側方に備えた電気チェーンブロック。【選択図】図１
2006273537.tif 000002
【特許請求の範囲】
【請求項１】
ロードチェーンが巻回されるロードシーブを回転支持する支持部と、ロードシーブに駆動力を減速伝達する減速装置と、ロードシーブに減速装置を介して駆動力を付与するモータと、モータの正逆転制御を行う制御機器を収納する電装品箱と、ロードチェーンを収納するチェーンバケットを備えた電気チェーンブロックであって、前記支持部とモータ及び減速装置からなる巻上機本体の長手方向と直交する方向に所定間隔離れて、上端が巻上機本体を吊り下げる固定部に連係し、下端がチェーンバケットに係着し、前記チェーンバケットを吊り下げ支持する吊り部材を設け、前記電装品箱をチェーンバケットの上方で、巻上機本体の長手方向の吊り部材取り付け側の側方に備えたことを特徴とする電気チェーンブロック。
【請求項２】
前記巻上機本体の長手方向の両端が前記チェーンバケットから突出しないように設けられていることを特徴とする請求項１に記載の電気チェーンブロック。
【請求項３】
電装品箱は一端に制御機器を取り出す開口部を設けた箱体であり、前記吊り部材は、前記電装品箱の開口部から大気方向で重ならないように配設していることを特徴とする請求項１、２に記載の電気チェーンブロック。
【発明の詳細な説明】
【技術分野】
【０００１】
本発明は、電気チェーンブロックに関するもので、さらに詳しくは、据え付けスペースが限定された設置場所に据え付けるのに好適な電気チェーンブロックに関する。
【背景技術】
【０００２】
従来より、チェーンブロック等の巻上機において、ロードシーブを中心として一方側に、ロードシーブの駆動用モータを内装したモータケースを設け、他方側に、モータからの駆動力をロードシーブに伝達する減速歯車機構とモータの回転を制御する電装部品を内装したギヤケース兼電装ケースを設け、かつ、ロードシーブの支持中心の下方にチェーンバケットを吊設したチェーンブロックの支持装置が公知である。（例えば、特許文献１参照）
次に、特許文献１に記載された従来のチェーンブロックについて図５を参照して説明する。図５において、ロードチェーン２５を掛設するロードシーブ２４と、該ロードシーブ２４の駆動機構とを備えたブロック本体２３と、このチェーンブロック本体２３の上部に取付けられ、該チェーンブロック本体２３を吊下げる吊下杆２０に着脱可能に固定する固定具２１とから成り、この固定具２１は、クランプ部２２ａと、該クランプ部２２ａの基部から下方に延びる取付軸２２ｂとを有し、前記固定具２１の前記取付軸２２ｂに、前記チェーンブロック本体２３が前記ロードシーブ２４の軸心とほぼ平行な連結軸を介して取付けられている。
【０００３】
また、前記チェーンブロック本体２３は、ロードシーブ２４、モータ２ｂ及びギヤケース兼電装ケース２７からなり、ロードシーブ２４を中心に、フレーム２８、２８で略左右対称に、モータ２６とギヤケース兼電装ケース２７が設けられ、さらに、フレーム２８、２８から下方に、吊りチェーン３０を介してチェーンバケット２９が吊設されている。
【特許文献１】実公平6−17832号公報（第２頁、図２参照）
【発明の開示】
【発明が解決しようとする課題】
【０００４】
しかしながら、従来の電気チェーンブロックでは、図５に示すように、バケットの外形寸法に対して、電気チェーンブロック本体が外側に突出し、チェーンバケットの縦方向の長さを抑えるチェーンのチェーンバケット内の収容空間を大きく取る上では、前記突出下部分は無駄なスペースである。そのため、電気チェーンブロック全体の縦方向の据え付け寸法が大きくなり、特に限られたスペースに設置する場合には、大きな障害となるという課題を有していた。
【０００５】
また、チェーンバケットをチェーンブロック本体に吊り下げて支持しているので、チェーンが例えば、１００ｍ程度と長くなると、バケットが大型となり、バケットが大型になっても、電気チェーンブロック全体の据え付け寸法を抑える必要がある課題を有していた。
【０００６】
また、据え付け寸法を抑えた電気チェーンブロックであってもメンテナンスを容易にするという課題を有していた。
【課題を解決するための手段】
【０００７】
ロードチェーンが巻回されるロードシーブを回転支持する支持部と、ロードシーブに駆動力を減速伝達する減速装置と、ロードシーブに減速装置を介して駆動力を付与するモータと、モータの正逆転制御を行う制御機器を収納する電装品箱と、ロードチェーンを収納するチェーンバケットを備えた電気チェーンブロックであって、前記支持部とモータ及び減速装置からなる巻上機本体の長手方向と直交する方向に所定間隔離れて、上端が巻上機本体を吊り下げる固定部に連係し、下端がチェーンバケットに係着し、前記チェーンバケットを吊り下げ支持する吊り部材を設け、前記電装品箱をチェーンバケットの上方で、巻上機本体の長手方向の吊り部材取り付け側の側方に備えたことを特徴とする。
【０００８】
また、前記巻上機本体の長手方向の両端が前記チェーンバケットから突出しないように設けられていることを特徴とする。
【０００９】
また、電装品箱は一端に制御機器を取り出す開口部を設けた箱体であり、前記吊り部材は、前記電装品箱の開口部から大気方向で重ならないように配設していることを特徴とする。
【発明の効果】
【００１０】
本発明の電気チェーンブロックは上記したように、ロードシーブの支持部とモータ及び減速装置からなる巻上機本体の長手方向と直交する方向に所定間隔離れた箇所で、上端が巻上機本体を吊り下げる固定部に連係し、下端がチェーンバケットに係着し、前記チェーンバケットを吊り下げ支持する吊り部材を設け、前記電装品箱をチェーンバケットの上方で、巻上機本体の長手方向の吊り部材取り付け側の側方のデッドスペースに取設したため、従来装置のように、巻上機本体が縦長になるのを抑え、巻上機本体の長手方向の据え付けスペースが大きくなるという課題を解決することができ、設置スペースが限定された箇所に巻上機を取設する場合に特に好適である。
【００１１】
また、巻上機本体の長手方向の両端がチェーンバケットから突出しないように設けるようにしたので、巻上機の縦方向の占有スペースをさらに小さくすることが可能となる。
【００１２】
また、電装品箱は一端に制御機器を取り出す開口部を設けた箱体であり、前記吊り部材は、前記電装品箱の開口部から大気方向で重ならないように配設するようにしたので、電装品箱に収容されている制御機器が故障し、制御機器の修理・交換等のメンテナンスが必要になった場合に、大型化したチェーンバケットを吊り下げて取付けるための吊り部材と干渉することなく、電気チェーンブロックの外側から作業者が容易に手を入れてメンテナンス作業を行えることが可能となる。
【発明を実施するための最良の形態】
【００１３】
以下、本発明の実施の形態を、図面を参照して説明する。図１は本発明の電気チェーンブロックの全体構成を示す正面図、図２は図１の左側面図、図３は図１の右側面図、図４は本発明の他の形態の電気チェーンブロックの全体構成を示す正面図である。
【００１４】
図において、１は本発明の巻上機本体を吊設する固定部である支持ブラケット、２は電気チェーンブロックの巻上機本体で、図３に示すように、ロードチェーンを巻回するロードシーブ３ａ（図示せず）を回転支持し、上部には前記支持ブラケットを固設し、下部には負荷側ロードチェーン１８ａと無負荷側ロードチェーン１８ｂ（図示せず）を送出ガイドするチェーンガイド（図示せず）を備える支持部３、ロードシーブ３ａに後述する減速機５を介して駆動力を付与するモータ４及びロードシーブに駆動力を減速伝達する減速装置である減速機５から構成される。巻上機本体２は、図１に示すように、支持ブラケット１に水平方向に、かつ直交して、支持ブラケット１に取設されている。巻上機本体２は、図３に示すように、支持部３の一側にモータ４が、他側に減速機５が取設される。６はモータの正逆転制御を行う制御機器（電磁接触機等の動力切替制御機器 等）を収納する電装品箱で、巻上機本体２から切り離されて、巻上機本体２の長さ方向の側面の吊り部材の取付け側で、チェーンバケットの上方に取設される。また、電装品箱６は、一端に制御機器を取り出す開口部を設けた箱体であり、吊り部材８が、前記電装品箱６の開口部から大気方向で重ならないように配設している。７は無負荷側チェーン１８ｂを収納するチェーンバケットで、支持ブラケット１の他端に垂設された吊り部材８と、巻上機本体２の下部に設けた吊り金具１０により、２箇所で支持され、巻上機本体２の吊り下げ中心（支持ブラケット１）から偏位して吊設される。また、チェーンバケット７は、巻上機本体の長手方向の両端がチェーンバケット７から突出しないように設けられている。７ａはバケット７の上部開口部に設けられた四角状の枠体である。９は吊り部材８とバケット７の枠体７ａ間で、両者を連結するバケット吊り杆、１０は吊り金具で、巻上機本体下部に設けられ、本体下部に装着されるチェーンガイド（図示せず）に取付ボルトで共締され、巻上機本体２の下部に固着される。１１は図３に示すように、吊り金具１０に取着され、バケット７を吊着する吊り具、１２は吊り金具１０に取着された棒状の連結杆、１３は連結杆１２に吊下され、前記吊り具１１が嵌まるリング状連結具、１４はバケット７の枠体７ａに取着されたリブ、１５はボルト、１６は支持ブラケット１をトロリや天井等の梁へ取付けるための取付孔、１８はロードチェーンである。
【００１５】
本発明の電気チェーンブロックは、支持部３、モータ４及び減速機５からなる巻上機本体２が、支持ブラケット１の一端に、水平方向に直交して取設され、電装品箱６は、巻上機本体２から支持ブラケット１の長さ方向に開口部を向けて、巻上機本体の長手方向の側方で吊り部材８側に取設されている。また、チェーンバケット７は、支持ブラケット１の他端に設けた吊り部材８と、巻上機本体２の下部に設けた吊り金具１０の２箇所で支持され吊設されている。さらに、図１〜３に示すように、チェーンバケット７の中心（重心）を巻上機本体２の吊下げ位置から偏位して設け、巻上機本体２の長手方向の両端部がチェーンバケット７の外形寸法から突出しないように略一致するように設けられている。
【００１６】
上記したように、支持部３、モータ４及び減速機５からなる巻上機本体２を、支持ブラケット１の一端に、水平方向に直交して設け、電装品箱６を、巻上機本体２から支持ブラケット１の長さ方向に開口部を向けて、巻上機本体２の長手方向の側方で吊り部材８側に取設した構成とし、電装品箱６を、支持ブラケット１とチェーンバケット７上端間で、巻上機本体２の吊り部材８側の側方のデッドスペースに設けているため、電気チェーンブロックから電装品箱６が突出し、据え付けスペースが大きくなるという課題を解決することができ、巻上機の据え付けスペースをさらに小さくすることが可能となり、限られたスペースに電気チェーンブロックを取設する場合に特に好適である。
【００１７】
また、チェーンバケット７を巻上機本体２の長手方向の両端が突出しないように設けるようにしたので、電気チェーンブロックの縦方向の占有スペースをさらに小さくすることが可能となる。
【００１８】
また、電装品箱６は一端に制御機器を取り出す開口部を設けた箱体であり、吊り部材８は、電装品箱６の開口部から大気方向で重ならないように配設するようにしたので、電装品箱に収容されている制御機器が故障し、制御機器の修理・交換等のメンテナンスが必要になった場合に、大型化したチェーンバケット７を吊り下げて取付けるための吊り部材８と干渉することなく、電気チェーンブロックの外側から作業者が容易に手を入れてメンテナンス作業を行えることが可能となる。
【００１９】
また、支持ブラケット１の他端に、吊り部材８を垂設し、前記吊り部材８と巻上機本体２の下部に設けた吊り金具１０でチェーンバケット７を吊設し、バケット７を２箇所で支持するようにしたので、例えば、１００ｍ用チェーンバケットのように、大容量バケットであっても堅牢に支持することができる。
【００２０】
また、チェーンバケット７の中心を巻上機本体２の吊り下げ位置から偏位してオフセット支持し、巻上機本体２の外形寸法とチェーンバケット７の外形寸法が略一致するようにしたので、電気チェーンブロックの縦方向の占有スペースをさらに小さくすることが可能となる。
【００２１】
図４は本発明の他の形態を示し、支持ブラケット１の他端と支持ブラケット１の中間に、吊り部材８ａを垂設し、両吊り部材８、８ａでチェーンバケット７を吊設したことを特徴とする。なお、１７はチェーンバケット７内に設けたチェーンガイドで、無負荷側チェーンがバケット中心に送出入されるようにガイドし、チェーンをバケット７内に均一に収納する作用を有し、バケットサイズをさらに小さくし、デッドスペースを小さくすることができる。チェーンガイド１７は図１〜図３に記載したバケットにも必要に応じて設けることができる。
【００２２】
また、固定部は支持ブラケット１として説明したが、巻上機本体２と吊り部材８は、天井等に設けられた梁に直接設けられる場合や、天井等に設けられたレールを走行するトロリを介して吊り下げられることもでき、この場合の固定部は、前者の場合は梁で後者はレールとなる。
【産業上の利用可能性】
【００２３】
本発明の電気チェーンブロックは、占有スペースが従来装置に較べて大幅に小さいため、例えば風力発電装置の本体等の限定さられたスペースに設置する巻上機として特に有用である。
【図面の簡単な説明】
【００２４】
【図１】本発明の実施の形態１の電気チェーンブロックの全体構成を示す正面図。
【図２】図１の左側面図。
【図３】図１の右側面図。
【図４】本発明の実施の形態２の電気チェーンブロックの全体構成を示す正面図。
【図５】従来装置を示す正面図。
【符号の説明】
【００２５】
１    支持ブラケット
２    巻上機本体
３    支持部
３ａ  ロードシーブ
４    モータ
５    減速機
６    電装品箱
７    チェーンバケット
７ａ  枠体
８、８ａ  吊り部材
９    バケット吊り枠
１０  吊り金具
１１  吊り具
１２  連結杆
１３  連結具
１４  リブ
１５  ボルト
１６  取付孔
１７  チェーンガイド
１８  ロードチェーン
【図１】
2006273537.tif 000003
【図２】
2006273537.tif 000004
【図３】
2006273537.tif 000005
【図４】
2006273537.tif 000006
【図５】
2006273537.tif 000007